(57)【要約】【課題】  タッチパネルの配設位置の移動を抑え、商品性を損なうことのない遠隔操作装置を提供する。【解決手段】  液晶表示素子５と、この液晶表示素子５の前方に位置し液晶表示素子５を透視可能な入力部３と、入力部３の一部が露出する窓部２ｃを備えるとともに液晶表示素子５と入力部３を収納するケース２と、を備えた遠隔操作装置１において、ケース２と入力部３との間に入力部３の移動を防止する第１移動防止部１２を設け、液晶表示素子５と入力部３との間に入力部３の移動を防止する第２移動防止部１３を設けたものである。【選択図】  図２
2016086227.tif 000002
【特許請求の範囲】
【請求項１】
表示部と、この表示部の前方に位置し前記表示部を透視可能な入力部と、前記入力部の一部が露出する窓部を備えるとともに前記表示部と前記入力部を収納するケースと、を備えた遠隔操作装置において、前記ケースと前記入力部との間に前記入力部の移動を防止する第１移動防止部を設け、前記表示部と前記入力部との間に前記入力部の移動を防止する第２移動防止部を設けたことを特徴とする遠隔操作装置。
【請求項２】
前記ケースの窓部の周囲に前記第１移動防止部を設けたことを特徴とする請求項１に記載の遠隔操作装置。
【請求項３】
前記第１移動防止部を前記ケースに固定し、前記第２移動防止部を前記表示部に固定したことを特徴とする請求項１に記載の遠隔操作装置。
【発明の詳細な説明】
【技術分野】
【０００１】
本発明は、タッチパネルと表示部とを備えた遠隔操作装置に関する。
【背景技術】
【０００２】
従来の遠隔操作装置は、操作を入力する入力部としてタッチパネルを備えていた（例えば、特許文献１を参照）。
【先行技術文献】
【特許文献】
【０００３】
【特許文献１】特開２００９−２１８９８６号公報
【発明の概要】
【発明が解決しようとする課題】
【０００４】
従来の遠隔操作装置では、タッチパネルの上面に、前記タッチパネルに設けた複数の導電層に対応した文字や記号などが印刷形成されたカバーシートが設けられていた。
【０００５】
近年では、あらかじめ文字や記号などが印刷形成されたカバーシートに代わって、液晶表示素子などの表示部を用い、前記表示部の前面側に前記タッチパネルを設けていた。
【０００６】
前記タッチパネルは、ガラスや透明な硬質の合成樹脂の板材に、複数の導電層を形成したフィルム状のベースシートを貼り付けたものであり、前記表示部に接着などによって貼り付けられることなく、それぞれ独立した部品として前記遠隔操作装置のケース内に固定し、収納されていた。
【０００７】
前記タッチパネルの固定は、機材である板材の周囲を囲む位置決め壁部によって、前記タッチパネルの位置が定まり、前記ケースと前記表示部とで挟まれて固定されていた。
【０００８】
以上の構成によって、前記タッチパネルは、前記ケースと前記表示部とで挟まれて固定されているために、前記タッチパネルを指でなぞる操作を行う際に、前記タッチパネルが移動し、前記表示器で表示されている表示内容に対して位置ズレが生じる虞があった。この位置ズレは、商品性を大きく損なうものであった。
【０００９】
そこで、本発明は、前述の問題点に着目し、タッチパネルの配設位置の移動を抑え、商品性を損なうことのない遠隔操作装置を提供することを目的とする。
【課題を解決するための手段】
【００１０】
本発明は、前記課題を解決するために、表示部と、この表示部の前方に位置し前記表示部を透視可能な入力部と、前記入力部の一部が露出する窓部を備えるとともに前記表示部と前記入力部を収納するケースと、を備えた遠隔操作装置において、前記ケースと前記入力部との間に前記入力部の移動を防止する第１移動防止部を設け、前記表示部と前記入力部との間に前記入力部の移動を防止する第２移動防止部を設けたものである。
【発明の効果】
【００１１】
以上の構成によって、本発明は、所期の目的を達成することができ、タッチパネルの配設位置の移動を抑え、商品性を損なうことのない遠隔操作装置を提供することができる。
【図面の簡単な説明】
【００１２】
【図１】本発明の第１実施形態の遠隔操作装置の正面図。
【図２】同実施形態の図１中ＩＩ−ＩＩ線の断面図。
【図３】同実施形態の図１中ＩＩＩ−ＩＩＩ線の断面図。
【図４】同実施形態の液晶表示素子とホルダの正面図。
【図５】同実施形態の上ケースの背面図。
【発明を実施するための形態】
【００１３】
以下に、本発明の実施形態を添付図面に基づいて説明する。
【００１４】
本発明の遠隔操作装置１は、空気調和機などの機器と赤外線や無線通信などの手段で通信し操作するものである。
【００１５】
遠隔操作装置１は、ケース２と、入力部３と、操作ボタン４及び表示部５を備えている。
【００１６】
ケース２は、合成樹脂からなり、上下に分割する上ケース２ａと下ケース２ｂとで構成しており、入力部３や操作ボタン４の一部や表示部５などを内蔵している。また、上ケース２ａには、入力部３が露出する貫通孔からなる窓部２ｃと、操作ボタン４の一部が露出する貫通孔からなるボタン用開口部２ｄを備えている。
【００１７】
また、ケース２は、後述する矩形の入力部３の周囲を保持する保持壁２ｅを備えている。保持壁２ｅは、窓部２ｃの周囲に設けられるものである。この保持壁２ｅは、入力部３の側面に接する突起２ｆを備えており、入力部３の側面を保持するものである。なお、この保持壁部２ｅに入力部３を配置した場合、製造上の公差を考慮に入れて、突起２ｆは、入力部３に接しないように設定されている。
【００１８】
また、本実施形態では、保持壁２ｅには、切欠部２ｇが設けられている。この切欠部２ｇは、後述する入力部３のフレキシブル配線板３ｃを配置するために設けたものである。
【００１９】
また、ケース２の窓部２ｃの周囲には、第１移動防止部１２が設けられている。この第１移動防止部１２は、ケース２に固定されている。第１移動防止部１２は、ウレタンやゴムなどの柔軟な合成樹脂からなり、ケース２と入力部３との間に設けられている。第１移動防止部１２は、入力部３に接しており、第１移動防止部１２の摩擦力によって、入力部３の移動を防止するものである。
【００２０】
第１移動防止部１２は、平たい紐状で、図５で示すように、矩形の窓部２ｃの各辺に対応するように、４つ設けられている。この４つの第１移動防止部１２は、長さが長い第１移動防止部１２と、長さが短い第１移動防止部１２で構成されている。４つの第１移動防止部１２は、互いに接しており、ケース２の窓部２ｃの周囲に隙間なく設けられている。上述したように、第１移動防止部１２は、ケース２に固定されるととともに、入力部３に接しているため、ケース２と入力部３との間からゴミなどの異物の侵入を防止することができる。
【００２１】
また、第１移動防止部１２の形状を紐状としたことで、ウレタンやゴムなどのシート状の基材を打ち貫いて、第１移動防止部１２を形成する場合に、前記基材から多くの第１移動防止部１２を形成し、前記基材を廃棄する量を減らすことができる。
【００２２】
ケース２内には、入力部３、操作ボタン４、表示部５の他に、回路基板６、回路基板６に実装された光源７、導光体８、ホルダ９、拡散部材１０および遮光部材１１が、内蔵されている。
【００２３】
入力部３は、いわゆるタッチパネルと呼ばれるものであり、本実施形態では、抵抗膜式のタッチパネルである。このタッチパネル３は、矩形であり、ガラス、あるいは透明な硬質の合成樹脂の板材３ａに、複数の導電層を形成したフィルム状のベースシート３ｂを貼り付けたものである。このタッチパネル３は、表示部５の前方に位置し、表示部５を透視可能であり、表示部５で表示される画像や文字などを視認可能である。なお、３ｃは、フレキシブル配線板であり、このフレキシブル配線板３ｃによって、回路基板６と電気的に接続されている。
【００２４】
操作ボタン４は、前記空気調和機の設定などを変更するときに押すなどの操作を行うものである。ケース２内には、前記空気調和機を制御する制御信号を生成する制御回路などが、回路基板６に設けられている。
【００２５】
表示部５は、本実施形態では、液晶表示素子５である。液晶表示素子５は、２枚のガラス基板の間に、液晶分子を封入したものであり、印加される電気信号によって、前記液晶分子の配列が変化し表示を行うものである。液晶表示素子５は、フレキシブル配線板５ａによって、回路基板６に設けたコネクタ６ａと電気的に接続されている。なお、液晶表示素子５は、偏光板などを備えているが、周知の技術であり、説明は省略する。液晶表示素子５は、光源７の光が、導光体８で導かれ、背後から透過照明される。
【００２６】
また、液晶表示素子５の上側のガラス基板の周囲には、第２移動防止部１３が設けられている。なお、前記ガラス基板には、前記偏光板が貼り付けられているため、正確には、前記偏光板の上に、第２移動防止部１３が設けられている。この第２移動防止部１３は、液晶表示素子５に貼り付けられて固定されている。第２移動防止部１３は、第１移動防止部１２と同様に、ウレタンやゴムなどの柔軟な合成樹脂からなる。第２移動防止部１３は、液晶表示素子５とタッチパネル３との間に設けられている。第２移動防止部１３は、タッチパネル３に接しており、第２移動防止部１３の摩擦力によって、タッチパネル３の移動を防止するものである。
【００２７】
第２移動防止部１３は、第１移動防止部１２と同様に、平たい紐状で、図４で示すように、矩形の液晶表示素子５の前記上側のガラスの各辺に対応するように、４つ設けられている。この４つの第２移動防止部１３は、長さが長い第２移動防止部１３と、長さが短い第２移動防止部１３で構成されている。４つの第２移動防止部１３は、互いに接しており、液晶表示素子５の前記上側のガラスの周囲に隙間なく設けられている。上述したように、第２移動防止部１３は、液晶表示素子５に固定されるととともに、タッチパネル３に接しているため、液晶表示素子５とタッチパネル３との間からゴミなどの異物の侵入を防止することができる。
【００２８】
また、第１移動防止部１２と同様に、第２移動防止部１３の形状も紐状としたことで、ウレタンやゴムなどのシート状の基材を打ち貫いて、第２移動防止部１３を形成する場合に、前記基材から多くの第２移動防止部１３を形成し、前記基材を廃棄する量を減らすことができる。
【００２９】
回路基板６は、硬質の基板であり、基材として、ガラスエポキシ樹脂などの絶縁材を用いている。そして、この絶縁材の表面に、銅などの導電性金属からなる配線パターンが設けられている。この配線パターンに、光源７や前記制御回路を形成する電子部品などが実装されている。
【００３０】
光源７は、回路基板６に表面実装される発光ダイオードであり、この光源７は、回路基板６の板面に沿って光を出す。
【００３１】
導光体８は、光源７の光を導くものであり、透明な合成樹脂製である。この導光体８は、矩形の平板形状であり、導光体８の長手方向の断面形状が、Ｌの字形状である。Ｌの字の長辺部分にあたる部分が、液晶表示素子５の背面に対向する導光板部８ａであり、Ｌの字の短辺部分にあたる部分が、導光板部８ａから光源７側に突出する受光板部８ｂである。導光板部８ａは、矩形の平板形状であり、導光板部８ａの背面側、すなわち、液晶表示素子５とは反対側の面には、光源７の光を効率良く反射する加工が施されている。
【００３２】
ホルダ９は、液晶表示素子５と導光体８とを保持するものである。ホルダ９は、白色の光を透過しない合成樹脂からなる。ホルダ９は、導光体８の導光板部８ａと対向する導光板受面９ａと、この導光板受面９ａの周囲に設けられ、導光体８の３つの辺を囲む壁部９ｂと、導光体８の受光板部８ｂと光源７を収納する収納室９ｃと、液晶表示素子５の四隅を保持する保持壁９ｄと、導光板受面９ａの背面に設けられ回路基板６と当接する脚部９ｅとを備えている。
【００３３】
導光板受面９ａと壁部９ｂによって、導光体８の導光板部８ａを保持している。
【００３４】
収納室９ｃは、光源７を囲んでおり、導光体８以外から収納室９ｃの外部に光が漏れることを防止している。
【００３５】
保持壁９ｄは、壁部９ｂの周囲に設けられるものである。この保持壁９ｄは、液晶表示素子５の側面に接する突起９ｇを備えており、液晶表示素子５の四隅の側面を保持するものである。
【００３６】
脚部９ｅは、導光板受面９ａの背面に、３個設けられている。なお、脚部９ｅの個数は、任意である。
【００３７】
拡散部材１０と遮光部材１１とは、液晶表示素子５と導光体８との間に設けられている。拡散部材１０が導光体８側で、遮光部材１１が液晶表示素子５側に積層されている。
【００３８】
拡散部材１０は、光が透過可能な乳白色の合成樹脂からなる薄い板状部材である。導光体８からの光を拡散するものである。拡散部材１０は、矩形状であり、拡散部材１０の大きさは、導光体８の導光板部８ａと同等、あるいは若干小さいものであり、ホルダ９の壁部９ｂ内に収納される。
【００３９】
遮光部材１１は、光が不透過の薄い板状部材であり、その中央部が貫通した窓部１１ａを備えた枠状部１１ｂを備えている。遮光部材１１は、２層構造であり、導光体８側が白色の合成樹脂の部材からなり、液晶表示素子５側が黒色の合成樹脂の部材からなる。遮光部材１１は、導光体８側の白色の部材で、光源７の光を反射するとともに、液晶表示素子５側の黒色の部材で、液晶表示素子５の表示領域を区切るものである。
【００４０】
遮光部材１１の外形は、拡散部材１０の外形より大きく形成するとともに、遮光部材１１の窓部１１ａの大きさは、拡散部材１０の外形より小さく形成されている。また、遮光部材１１の外形は、ホルダ９の保持壁９ｄで囲まれた壁部９ｂと同等であり、遮光部材１１の窓部１１ａの大きさは、ホルダ９の保持壁９ｄで囲まれた壁部９ｂより小さいものである。すなわち、遮光部材１１の枠状部１１ｂの幅は、ホルダ９の壁部９ｂの上端部の幅よりも大きく形成されている。
【００４１】
遮光部材１１の枠状部１１ｂの両面に接着剤が設けられており、遮光部材１１の液晶表示素子５側で、液晶表示素子５に貼り付けられるとともに、遮光部材１１の導光体８側で、拡散部材１０の外周端部に貼り付けられ、さらに、ホルダ９の壁部９ｂの上端部に貼り付けられて、ホルダ９に固定されている。
【００４２】
以上のように、液晶表示素子５と、この液晶表示素子５の前方に位置し液晶表示素子５を透視可能なタッチパネル３と、タッチパネル３の一部が露出する窓部２ｃを備えるとともに液晶表示素子５とタッチパネル３を収納するケース２と、を備えた遠隔操作装置１において、ケース２とタッチパネル３との間にタッチパネル３の移動を防止する第１移動防止部１２を設け、液晶表示素子５とタッチパネル３との間にタッチパネル３の移動を防止する第２移動防止部１３を設けたことによって、タッチパネル３の配設位置の移動を抑え、商品性を損なうことのない遠隔操作装置１を提供することができる。
【００４３】
また、ケース２の窓部２ｃの周囲に第１移動防止部１２を設けたことによって、ケース２とタッチパネル３との間からゴミなどの異物の侵入を防止することが可能な遠隔操作装置１を提供することができる。
【００４４】
また、第１移動防止部１２をケース２に固定し、第２移動防止部１３を液晶表示素子５に固定したことによって、第１移動防止部１２と第２移動防止部１３との設置が容易となり、生産性が良い遠隔操作装置１を提供することができる。
【００４５】
なお、前記実施形態では、第２移動防止部１３は、液晶表示素子５の前記上側のガラスの周囲に隙間なく設けられているが、第２移動防止部１３は、部分的に隙間を設けてもよい。
【００４６】
また、前記実施形態では、第１移動防止部１２をケース２に固定し、第２移動防止部１３を液晶表示素子５に固定していたが、第１、第２移動防止部１２、１３を固定する必要はなく、第１移動防止部１２を、ケース２とタッチパネル３で挟んで固定し、第２移動防止部１３を、タッチパネル３と液晶表示素子５で挟んで固定してもよい。
【産業上の利用可能性】
【００４７】
本発明は、タッチパネルと表示部とを備えた遠隔操作装置に利用可能である。
【符号の説明】
【００４８】
１      遠隔操作装置
２      ケース
２ｃ    窓部
３      入力部（タッチパネル）
５      表示部（液晶表示素子）
１０      拡散部材
１１      遮光部材
１２      第１移動防止部
１３      第２移動防止部
【図１】
2016086227.tif 000003
【図２】
2016086227.tif 000004
【図３】
2016086227.tif 000005
【図４】
2016086227.tif 000006
【図５】
2016086227.tif 000007